(57)【要約】【課題】  下向きレンズ方式バックライトを用いたエッジライト型液晶表示装置において、光の異方性による偏光ロスを最小限に留めることにより、液晶表示面の品位が良く、且つ輝度を高めて低消費電力化が可能となると共に、製造工程において光制御部材の切り出し部分に制限が少なくなることで効率的な切り出しが可能となり、コストダウンが見込まれる液晶表示装置を提供する。【解決手段】  エッジライト型面光源１３，１６、複数の光制御部材１１，１２、及び、液晶表示パネルユニット３を備えてなる液晶表示装置であって、該光制御部材１１の偏光透過軸は、光制御部材１１の光出射面側に配置された液晶表示パネル入射側偏光板３３の偏光透過軸と略平行するように配置されてなる液晶表示装置。【選択図】    図１
2005128363.tif 000002
【特許請求の範囲】
【請求項１】
光源（１６）及び導光板（１３）からなるエッジライト型面光源、複数の光制御部材（１１，１２）、並びに、偏光板を有する液晶表示パネル（３１）をこの順に備えてなる液晶表示装置であって、
該導光板（１３）は、光出射面とその反対側に光反射面を有し、光出射面及び光反射面のうち少なくとも１面に導光板の端面と略直交するプリズムの繰り返し形状を有するものであり、
該複数の光制御部材（１１，１２）は、導光板光出射面と対向する面に導光板の端面と略平行するプリズムの繰り返し形状を有する光制御部材（１２）、及び、偏光透過軸を有する光制御部材（１１）を必須として構成されるものであり、
該光制御部材（１１）の偏光透過軸は、光制御部材（１１）の光出射面側に配置された液晶表示パネル入射側偏光板（３３）の偏光透過軸と略平行するように配置されてなる
ことを特徴とする液晶表示装置。
【請求項２】
前記光制御部材（１１）は、透明な樹脂シートの少なくとも１面に光拡散用のコーティングを施された拡散シートであり、
該樹脂シートは、２軸延伸によりシーティング製造されたものであり、
該光制御部材（１１）の主たる偏光透過軸は、樹脂シートの２軸延伸の各延伸方向と略平行であることを特徴とする請求項１記載の液晶表示装置。
【請求項３】
前記光制御部材（１１）は、透明な樹脂材料に屈折率の異なる樹脂を混入したものを１軸延伸することにより、延伸方向に偏光異方性を生じさせた偏光性シートであることを特徴とする請求項１記載の液晶表示装置。
【請求項４】
前記光制御部材（１１）の主たる偏光透過軸は、輝度に対する有効性が３％以上、１５％以下の割合で存在することを特徴とする請求項１、２又は３記載の液晶表示装置。
【発明の詳細な説明】
【技術分野】
【０００１】
本発明は、エッジライト型面光源を具備した液晶表示装置に関する。より詳しくは、コンピュータ用モニター、携帯ゲーム機用モニター、ＰＤＡ（Ｐｅｒｓｏｎａｌ  Ｄｉｇｉｔａｌ  Ａｓｓｉｓｔａｎｔ）、ビデオカメラモニター、携帯電話等に利用される直視型の液晶表示装置に関するものである。
【背景技術】
【０００２】
液晶表示装置は、モバイルＰＣ等に用いられる各種モニター、ＰＤＡ、携帯電話等における表示手段として欠かすことができないものとなっているが、これらの用途に用いられる液晶表示装置に対し、高輝度化することにより基本性能を向上することが求められている。従来、この種の液晶表示装置としては、基本的には液晶表示パネル部とバックライト部とから構成されたものが一般的である。バックライト部は、液晶表示装置の薄型・軽量化の観点より、エッジライト方式が多用されている。
【０００３】
従来のエッジライト方式の液晶表示装置においては、プリズムシートの２枚直交配置を用いて輝度効率を上げる手法がある（例えば、特許文献１参照。）。以下、このようなバックライトユニットのシステムを「プリズムシート２枚直交方式バックライト」ともいう。詳しくは図３を用いて説明すると、バックライトユニット２においては、導光体２５端面に配置された光源１６より出射された光は、直接又はリフレクター１５に反射され、導光体２５に入射し、導光体２５中を反射屈折を繰り返し、また、導光体２５の反出射面側に成形又は印刷により形成されたドットパターンと反射シート２６により、導光体２５の光出射面側より出射される。
【０００４】
このようなプリズムシート２枚直交方式バックライトにおいて、出射された光は、導光体２５の光出射面側に配置されている複数の光制御部材である拡散板２４、第１のプリズムシート２３、及び、第２のプリズムシート２２により液晶表示パネルユニット３へ入光することになる。このようなバックライトユニット２により、高輝度な面状照明装置が提供され、明るい液晶表示装置を供給することが可能になる。図３において、第１のプリズムシート２３は、液晶表示パネル側に導光体２５の端面に略直交する方向に微細プリズム形状を配し、その微細プリズム形状が導光体２５の端面と略平行な方向に繰り返し形成されている。第２のプリズムシート２２は、同じく液晶表示パネル側に第１のプリズムシート２３のプリズム溝方向と略直交するように配置された微細プリズム形状を配し、その微細プリズム形状が導光体２５の端面と略直交する方向に繰り返し形成されている。
【０００５】
しかしながら、近年更に高輝度化が要求されている中、従来のプリズムシート２枚直交方式バックライトでは、光利用効率に限界があり、更に輝度効率を向上させることが難しく、この点において液晶表示装置の基本性能を更に向上させるための工夫の余地があった。
これに関して、図４に示されるバックライトユニット１のような手法が公表されている（例えば、特許文献２参照。）。バックライトユニット１においては、導光板１３の端面に配置された光源１６より出射された光が直接又はリフレクター１５に反射され、導光板１３に入射する。導光板１３は、光出射面とその反対側に光反射面を有し、光出射面又は光反射面のいずれか１面に導光板１３の端面と略直交する方向に延長する微細プリズム形状を有し、その微細プリズム形状が導光板１３の端面と略平行な方向に繰り返し形成されている。
【０００６】
このようなバックライトユニット１においては、導光板１３の光出射面には光制御部材としてプリズムシート１２を配置し、更にプリズムシート１２の光出射面側に拡散シート１１が配置されている。このようなバックライトユニット１により、更に高輝度な液晶表示装置の提供が可能となっている。図４において、プリズムシート１２は、導光板１３の光出射面と対向する面に、導光板１３の端面に略平行な方向に延長する微細プリズム形状が、導光板１３の端面と略直交する方向に繰り返し形成されている。以下、プリズムシート１２のように、導光板１３の光出射面と対向する面に微細プリズム形状をもつプリズムシートを有するバックライトユニットのシステムを「下向きレンズ方式バックライト」ともいう。
【０００７】
しかしながら、このような下向きレンズ方式バックライトにおいては、従来のプリズムシート２枚直交方式バックライトよりも更に輝度効率を向上することができるが、輝度効率のロスを少なくするための工夫の余地があった。
ここで、下向きレンズ方式バックライトに関し、光制御シートとしてのプリズムシートを導光板と偏光板との間に配置し、プリズムシートの旋光角度を偏光板の透過軸の傾斜角度により一層合致させれば、液晶表示装置の表面輝度を高めることができることが開示されている（例えば、特許文献３参照。）。
【０００８】
しかしながら、この先行技術では、導光板からの出射光の最大強度方向は１８０°周期であることが明示されている。また、旋光性を有する少なくとも１枚の光制御シートをプリズムシートと偏光板との間に配置し、導光板からの出射光の最大強度方向を偏光板の透過軸方向により一層合致させれば、液晶表示装置の表示輝度を高めることができると記載され、逆に略直交する場合は輝度効率が最も低下するものと記載されている。このような下向きレンズ方式バックライトでは、導光板からの出射光の最大強度方向を液晶表示パネルの偏光板の透過軸方向へ旋光させる光制御シートが限られることから、光制御シートの製造工程において最大の輝度効率を発生させるための切り出し部分が限定されることになり、この点において工夫の余地があった。
【特許文献１】特開平８−６８９９７号公報（第１、２頁）
【特許文献２】特開平１１−２２４５１６号公報（第１、２頁）
【特許文献３】特開２００１−１６６３０２号公報（第１−５頁）
【発明の開示】
【発明が解決しようとする課題】
【０００９】
本発明は、上記現状に鑑みてなされたものであり、下向きレンズ方式バックライトを用いたエッジライト型液晶表示装置において、光の異方性による偏光ロスを最小限に留めることにより、液晶表示面の品位が良く、且つ輝度を高めて低消費電力化が可能となると共に、製造工程において光制御部材の切り出し部分に制限が少なくなることで効率的な切り出しが可能となり、コストダウンが見込まれる液晶表示装置を提供することを目的とするものである。
【課題を解決するための手段】
【００１０】
本発明者らは、エッジライト型液晶表示装置を検討したところ、従来のプリズムシート２枚直交方式バックライトと下向きレンズ方式バックライトとを比較すると、従来のプリズムシート２枚直交方式バックライトにおいては、例えば、図３において第２の拡散シート２１を第２のプリズムシート２２の光出射面側に配置し、この第２の拡散シート２１を２軸延伸によりシーティング製造する場合、液晶表示パネル入射側偏光板３３の偏光透過軸と拡散シート２１の偏光透過軸との相対角に対する輝度の変化は少なく、図６に示されるように第２の拡散シート２１の製造に起因する偏光透過軸の形成、詳しくは２軸延伸によりシーティング製造されたことによる光の異方性に対する輝度効率への影響度は問題にならない程度であった。一方、更に輝度効率の向上した下向きレンズ方式バックライトを提案することで高輝度な液晶表示装置を提供する場合、この下向きレンズ方式バックライトでは、例えば、図４に示されるように拡散シート１１を配置して品位向上を実現することができるが、拡散シート１１と液晶表示パネル３１に貼り付けられる入射側偏光板３３との位置関係により輝度効率にロスが生じることに着目した。詳しくは、図４に示す液晶表示パネル３１に貼り付けられる入射側偏光板３３の偏光透過軸方向３３ａと２軸延伸によりシーティング製造された拡散シート１１の偏光透過軸方向１１ｂとが略平行に配置できていない場合は、これらの相対角に対する輝度効率への影響度が大きいことに起因して、光の異方性により偏光ロスが生じ、最大限の出光効率を得ることができないことに着目した。
【００１１】
このような下向きレンズ方式バックライトにおいて、図１に示されるように、光制御部材として拡散シート１１を必須の構成要素とする場合、例えば、拡散シート１１の２軸延伸のお互い直交する延伸方向１１ａのいずれか一方の軸と、液晶表示パネル入射側偏光板３３の偏光透過軸３３ａとを意図的に略平行となるように配置した下向きレンズ方式バックライト１を提案することで、光の異方性による偏光ロスを最小限に留めることが可能となり、最大限に下向きレンズ方式バックライト１の利用効率を上げることができるため、高輝度化・低消費電力化が達成できることを見いだした。また、このような作用効果と共に、拡散シート１１の偏光透過軸１１ａと液晶表示パネル入射側偏光板３３の偏光透過軸３３ａとの位置関係が、略９０°周期で輝度効率を最大とすることができることから、製造工程において光制御部材の切り出し部分に制限が少なくなることで効率的な切り出しが可能となり、コストダウンが見込まれ、各種の用途に用いられるエッジライト型液晶表示装置として有用であることを見いだし、上記課題をみごとに解決することができることに想到し、本発明に到達したものである。
【００１２】
すなわち本発明は、光源１６及び導光板１３からなるエッジライト型面光源、複数の光制御部材１１，１２、並びに、偏光板を有する液晶表示パネル３１をこの順に備えてなる液晶表示装置であって、上記導光板１３は、光出射面とその反対側に光反射面を有し、光出射面及び光反射面のうち少なくとも１面に導光板の端面と略直交するプリズムの繰り返し形状を有するものであり、上記複数の光制御部材１１，１２は、導光板光出射面と対向する面に導光板の端面と略平行するプリズムの繰り返し形状を有する光制御部材１２、及び、偏光透過軸を有する光制御部材１１を必須として構成されるものであり、上記光制御部材１１の偏光透過軸は、光制御部材１１の光出射面側に配置された液晶表示パネル入射側偏光板３３の偏光透過軸と略平行するように配置されてなる液晶表示装置である。
なお、本発明の構成要素に付されている番号は、図面において付した符号を意味するが、本発明は図面に記載された形態に限定されるものではない。
以下に本発明を詳述する。
【００１３】
本発明の液晶表示装置は、光源１６及び導光板１３からなるエッジライト型面光源、複数の光制御部材１１，１２、並びに、偏光板を有する液晶表示パネル３１をこの順に備えてなる。すなわち光源１６及び導光板１３を必須として構成されるエッジライト型面光源の光出射面側に複数の光制御部材１１，１２が配置され、該複数の光制御部材の光出射面側に偏光板を有する液晶表示パネル３１が配置されて構成されるものである。偏光板を有する液晶表示パネル３１は、通常では液晶表示パネル３１の光入射面側に偏光板３３、光出射面側に偏光板３２が配置され、液晶表示パネルユニット３を構成することになる。
本発明の液晶表示装置は、このような構成要素を必須として形成されるものである限り、その他の構成要素を含んでいても含んでいなくてもよく、特に限定されるものではない。
【００１４】
上記エッジライト型面光源としては、導光板１３の端面に光源１６を配置し、光源１６からの照明光の指向性を変化させて導光板１３の出射面より出光させるものであればよい。通常では、光源１６の周囲にランプリフレクター１５を配置することにより、光を有効的に導光板１３に入射させてエッジライト型面光源の基本性能を向上させることができる。本発明において、導光板１３は、光出射面とその反対側に光反射面を有し、光出射面及び光反射面のうち少なくとも１面に導光板１３の端面と略直交するプリズムの繰り返し形状を有するものである。このような導光板１３の形態としては、エッジライト型面光源に用いることができる形態であればよく、例えば、楔形、矩形等の板状導光板が挙げられる。
【００１５】
上記導光板１３におけるプリズムの繰り返し形状は、導光板１３の端面と略直交する方向に形成されたプリズム形状が、導光板１３の端面と略平行な方向に繰り返し形成されたものである。プリズムの形状は、液晶表示装置を構成する部材の形状において、「プリズム」と呼ぶことができる形状であればよく、その形成方法等も特に限定されるものではない。
なお、本発明において、「略直交」、「略平行」の用語の意味は、液晶表示装置の構造において実質的に直交する、平行すると評価される形態であることが好ましいが、本発明の作用効果を発揮することになる限り、それに類する形態として所定の角度を持つ形態等も含むものである。
【００１６】
上記複数の光制御部材１１，１２は、導光板光出射面と対向する面に導光板１３の端面と略平行するプリズムの繰り返し形状を有する光制御部材１２、及び、偏光透過軸を有する光制御部材１１の少なくとも２種の光制御部材を必須として構成されるものである。この場合、必須構成要素の１つである光制御部材１２において、プリズムの繰り返し形状は、導光板１３の端面と略平行な方向に形成されたプリズム形状が、導光板１３の端面と略直交する方向に繰り返し形成されたものである。これら必須の構成要素である２種の光制御部材１１，１２の位置関係としては、偏光透過軸を有する光制御部材１１がプリズムの繰り返し形状を有する光制御部材１２の光出射面側に配置されることが好ましい。
なお、このような複数の光制御部材１１，１２により構成され、本発明の作用効果を発揮することになる限り、本発明の液晶表示装置はその他の光制御部材を有していてもよい。
【００１７】
本発明においては、上記光制御部材１１の偏光透過軸は、光制御部材１１の光出射面側に配置された液晶表示パネル入射側偏光板３３の偏光透過軸と略平行するように配置されてなる。このような光制御部材１１は、その製造に起因する偏光性を有するものであることが好ましい。
上記光制御部材１１の好ましい形態としては、透明な樹脂シートの少なくとも１面に光拡散用のコーティングを施された拡散シートである形態が挙げられる。更に、上記樹脂シートは、２軸延伸によりシーティング製造されたものであり、また、上記光制御部材１１の主たる偏光透過軸は、樹脂シートの２軸延伸の各延伸方向と略平行であることが好ましい。
これにより、液晶表示の品位向上を充分に実現したうえで、拡散シートの偏光透過軸と液晶表示パネル入射側偏光板の偏光透過軸との位置関係が、略９０°周期で輝度効率を最大限に作用させることが可能となり、また、製造工程において光制御部材である拡散シートの切り出し部分に制限が少なくなることで効率的な切り出しが可能となり、コストダウンが見込まれるという本発明の作用効果をより充分に発揮することになる。
【００１８】
また上記光制御部材１１の好ましい形態としては、透明な樹脂材料に屈折率の異なる樹脂を混入したものを１軸延伸することにより、延伸方向に偏光異方性を生じさせた偏光性シートである形態が挙げられる。この場合も、偏光性シートの偏光透過軸を液晶表示パネル入射側偏光板３３の偏光透過軸と略平行するように配置させることにより、本発明の作用効果を充分に発揮することができる。透明な樹脂材料に混入する樹脂は、該樹脂材料とは屈折率の異なる樹脂であればよく、該樹脂材料とは屈折率の異なる他の透明樹脂であることが好ましい。なお、透明な樹脂における透明の程度は、液晶表示装置を構成するバックライト部の部材に用いられる程度であれば特に限定されるものではない。
【００１９】
上記光制御部材１１の主たる偏光透過軸は、輝度に対する有効性が３％以上、１５％以下の割合で存在することが好ましい。すなわち光制御部材１１の偏光透過軸と液晶表示パネル入射側偏光板３３の偏光透過軸との位置と、液晶表示パネルユニット３上の法線方向の輝度との関係において、最小となる輝度を１００％とする場合、光制御部材１１の偏光透過軸を液晶表示パネル入射側偏光板３３の偏光透過軸と略平行するように配置したときに、輝度が３％以上、１５％以下の割合で向上するように、光制御部材１１の主たる偏光透過軸が存在することが好ましい。上記輝度に対する有効性を「輝度向上率」ともいう。
上述した光制御部材１１は、本発明の液晶表示装置における構成要素の一つであるが、このような光制御部材１１もまた、本発明の一つである。
【発明の効果】
【００２０】
本発明の液晶表示装置は、上述のような構成であるので、例えば、液晶表示パネルの光入射側偏光板の偏光透過軸と、該液晶表示パネルの光入射側偏光板に対向して配置された光制御部材である拡散シートの２軸延伸方向とを略平行に配置した下向きレンズ方式バックライトを提供することで、光の異方性による偏光ロスを最小限に留めることが可能となり、液晶表示面の品位が良く、且つ輝度を高めることができるものである。これにより、低消費電力化が可能となると共に、拡散シートの偏光透過軸と液晶表示パネルの光入射側偏光板の偏光透過軸との位置関係が略９０°周期で輝度効率が最大となることで、製造工程において光制御部材の切り出し部分に制限が少なくなることにより効率的な切り出しが可能となり、コストダウンが見込まれることから、モバイルＰＣ等のモニター、ＰＤＡ、携帯電話等の各種の用途に用いられる液晶表示装置として有用なものである。
【発明を実施するための最良の形態】
【００２１】
以下に実施例に基づいて、更に詳しく本発明に係る液晶表示装置の詳細を説明するが、本発明の液晶表示装置は、このような実施形態に限定されるものではない。
図１に、本発明の実施例に係る下向きレンズ方式バックライト１を搭載した液晶表示装置の要部構成を示す分解斜視図を示す。また、図２に、本発明の実施例に係る液晶表示装置の外観斜視図を示す。
図２に示す本発明に係る液晶表示装置は、図１に示す本発明に係る下向きレンズ方式バックライト１が液晶表示装置内に設置され、その液晶表示装置にはランプ１６点灯のための電圧入力端子４３が搭載され、外部インバーターからの電源供給によりランプ１６を点灯することができる構造となっている。
また図１において、液晶表示パネルユニット３は、内部に配置されたシャーシ構造物により下向きレンズ方式バックライト１上に適正に配置される。このときのシャーシ構造物は、プラスチック成型品、金属プレス品等により製造されている。
【００２２】
上記液晶表示装置は、シャーシ構造物上に配置された液晶表示パネルユニット３、及び、下向きレンズ方式バックライト１を保持固定するフレーム４２により形成されている。
図１によると、光源として冷陰極管ランプ１６を用いて板状導光板１３の端面に配置し、光源の光を有効的に板状導光板１３に入射させるため、冷陰極管ランプ１６の周囲にはランプリフレクター１５が配置されている。ランプリフレクター１５は、例えば、表面に白色拡散反射層や金属蒸着反射層を有するプラスチックフィルムや、該プラスチックフィルムを金属板に接着したものを用いることが好ましい。
【００２３】
ランプリフレクター１５で板状導光板１３の端面へ有効的に出射された光は、板状導光板１３内で反射、屈折を繰り返し、また、板状導光板１３の光出射面と反対側で反射せず屈折出射した光は反射シート１４で反射して再び屈折入射し、板状導光板１３の光出射面より液晶表示パネルユニット３側に出射される。板状導光板１３は、光出射面の反対側の面に板状導光板１３の端面と略直交する方向にプリズム形状を有し、上記プリズム形状は板状導光板１３の端面と略平行な方向に繰り返し形成されている。また、反射シート１４は、表面に白色拡散反射層や金属蒸着反射層を有するプラスチックフィルムを用いることが好ましい。
【００２４】
更に板状導光板１３より出射された光は、より法線方向への輝度効率を高めるために、板状導光板１３の光出射面側に配置された光制御部材１２に入射、屈折出射された後、光制御部材１１に入射、拡散出射される。光制御部材１２は、板状導光板１３の光出射面と対向する面に、板状導光板１３の端面に略平行な方向に延長するプリズム形状が、板状導光板１３の端面と略直交する方向に繰り返し形成されているプリズムシートであり、このプリズムシートのプリズム頂角は４５〜７０度である。
【００２５】
光制御部材１１は、透明な樹脂シートの少なくとも１面に光拡散用のコーティングを施された拡散シートであり、例えば実施例によると、光制御部材１２と相対する面に密着防止層をコーティングした拡散シートである。光制御部材１１である拡散シートは、液晶表示パネルユニット３の光入射面側に対向した位置に配置されることで、その拡散効果により、下向きレンズ方式バックライトでは光制御部材１１である拡散シートの入射側にある光制御部材によって得られる品位が更に平滑化されるため、液晶表示画面の品位が良好になる。光制御部材１１である拡散シートは、２軸延伸法によりシーティング製造されたプラスチックフィルムであり、拡散シートの主たる偏光透過軸は、２軸延伸の各延伸方向に対して略平行である。
【００２６】
このとき、本発明に係る下向きレンズ方式バックライト１では、液晶表示パネルユニット３の光入射側偏光板３３の偏光透過軸３３ａと、光制御部材１１である拡散シートの２軸延伸軸のいずれかの延伸軸方向とを略平行に配置することになる。これにより、拡散シートの各延伸方向と略平行である偏光透過軸１１ａのいずれかと、液晶表示パネル光入射側偏光板３３の偏光透過軸３３ａとが略平行に配置することになることから、法線方向に対して輝度ロスの少ない、均一化された面光源が可能となる下向きレンズ方式バックライト１を搭載した液晶表示装置が提供できる。
【００２７】
更に本発明に係る液晶表示装置の実施例に基づき、光制御部材１１である拡散シートの２軸延伸軸方向と液晶表示パネルユニット３の入射側偏光板３３の偏光透過軸との相対角に対する輝度変化率を実験にて測定した結果を図５に示す。
図５は、光制御部材１１である拡散シートのいずれか一方の２軸延伸方向と液晶表示パネルユニット３の入射側偏光板３３の偏光透過軸とが略平行になる配置の場合を相対角０度として設定し、光制御部材１１である拡散シートを液晶表示パネルユニット３の入射側偏光板３３の偏光透過軸に対して０〜３６０度回転した場合の輝度比をプロットしたものである。図５において、縦軸は、液晶表示パネル上の法線方向の輝度が最小の位置の輝度を１００として、その相対輝度比を示している。図５からも明らかなように、光制御部材１１である拡散シートの２軸延伸方向と液晶表示パネルユニット３の入射側偏光板３３の偏光透過軸とが略平行になる配置の場合は、輝度比が最大ピーク値になり、この最大ピーク値は光制御部材１１である拡散シートの２軸延伸方向に対して、その延伸軸の直交方向である９０度間隔に発生していることがわかる。
以上のことから、光制御部材１１である拡散シートの２軸延伸方向と液晶表示パネルユニット３の入射側偏光板３３の偏光透過軸とが略平行になるように配置することによって、光の異方性による偏光ロスを最小限に留めることが可能となり、最大限に下向きレンズ方式バックライト１の利用効率を上げることが可能となることがわかる。
【００２８】
本発明に係る液晶表示装置は、液晶表示パネルとしてアモルファスシリコンにより構成された画素スイッチング用トランジスタを有するアクティブマトリックス型である液晶表示装置、又は、液晶表示パネルとしてＣＧ（Ｃｏｎｔｉｎｕｏｕｓ  Ｇｒａｉｎ）シリコンにより構成された画素スイッチング用トランジスタを有するアクティブマトリックス型である液晶表示装置に好適に適用することができるものである。
【図面の簡単な説明】
【００２９】
【図１】図１は、本発明に係る下向きレンズ方式バックライトを搭載した液晶表示装置の要部構成を示す分解斜視図である。
【図２】図２は、本発明に係る下向きレンズ方式バックライトを搭載した液晶表示装置の外観斜視図である。
【図３】図３は、従来のプリズムシート２枚直交方式バックライトを搭載した液晶表示装置の要部構成を示す分解斜視図である。
【図４】図４は、従来の下向きレンズ方式バックライトを搭載した液晶表示装置の要部構成を示す分解斜視図である。
【図５】図５は、下向きレンズ方式バックライトでの拡散シートと液晶パネル入射側偏光板との配置角度による輝度変化率を測定したグラフである。
【図６】図６は、プリズムシート２枚直交方式バックライトでの拡散シートと液晶パネル入射側偏光板との配置角度による輝度変化率を測定したグラフである。
【符号の説明】
【００３０】
１    ：下向きレンズ方式バックライト
１１  ：拡散シート（光制御部材）
１１ａ：拡散シートの偏光透過軸
１１ｂ：拡散シートの偏光透過軸（従来の下向きレンズ方式バックライト）
１２  ：下向きプリズムシート（光制御部材）
１３  ：下向きレンズ方式用導光板（板状導光板）
１４  ：反射シート
１５  ：リフレクター
１６  ：光源（冷陰極管ランプ）
２    ：プリズムシート２枚直交方式バックライト
２１  ：第２の拡散シート
２２  ：第２のプリズムシート
２３  ：第１のプリズムシート
２４  ：第１の拡散シート
２５  ：プリズムシート２枚直交方式バックライト用導光体
２６  ：反射シート
３    ：液晶表示パネルユニット
３１  ：液晶表示パネル
３２  ：出射側偏光板
３３  ：入射側偏光板
３３a ：入射側偏光板の偏光透過軸
４１  ：液晶表示面
４２  ：フレーム
４３  ：ランプコネクター（電圧入力端子）
【図１】
2005128363.tif 000003
【図２】
2005128363.tif 000004
【図３】
2005128363.tif 000005
【図４】
2005128363.tif 000006
【図５】
2005128363.tif 000007
【図６】
2005128363.tif 000008